(57)【特許請求の範囲】
【請求項１】
一定の期間を複数の部分期間に分割し、複数の部分期間のそれぞれを複数の端末装置に対応付けながら割り当てる割当部と、
前記割当部において複数の部分期間のそれぞれを割り当てた複数の端末装置と通信を実行する通信部とを備え、
前記割当部は、
複数の端末装置のそれぞれに信号を送信してから応答を受信するまでの所要期間を推定する推定部と、
複数の部分期間において、信号を送信するための部分期間が連続した後に、信号を受信するための部分期間が連続し、かつ信号を送信するための部分期間に割り当てられる端末装置の順番とは反対の順番に、信号を受信するための部分期間に割り当てられる端末装置の順番が規定されており、信号を送信するための部分期間の連続のうちの前方の部分期間に、前記推定部において推定した所要期間の長い端末装置を割り当てる実行部を備えることを特徴とする無線装置。
【請求項２】
一定の期間を複数の部分期間に分割し、複数の部分期間のそれぞれを複数の端末装置に対応付けながら割り当てる割当部と、
前記割当部において複数の部分期間のそれぞれを割り当てた複数の端末装置と通信を実行する通信部とを備え、
前記割当部は、
複数の端末装置のそれぞれに対する処理速度を特定する特定部と、
複数の部分期間において、信号を送信するための部分期間が連続した後に、信号を受信するための部分期間が連続し、かつ信号を送信するための部分期間に割り当てられる端末装置の順番とは反対の順番に、信号を受信するための部分期間に割り当てられる端末装置の順番が規定されており、信号を送信するための部分期間の連続のうちの前方の部分期間に、前記特定部において特定した処理速度の遅い端末装置を割り当てる実行部を備えることを特徴とする無線装置。
【請求項３】
前記特定部は、
複数の端末装置のそれぞれに対して信号を送信してから、当該信号に対する応答を受信するまでの期間をそれぞれ測定する測定部と、
前記測定部において測定した期間をもとに、処理速度の特定を実行する実行部と、
を備えることを特徴とする請求項２に記載の無線装置。
【請求項４】
前記特定部は、
複数の端末装置のそれぞれから、処理速度に関する情報を受けつける受付部と、
前記受付部において受けつけた情報をもとに、処理速度の特定を実行する実行部と、
を備えることを特徴とする請求項２に記載の無線装置。
【請求項５】
一定の期間を複数の部分期間に分割し、複数の部分期間のそれぞれを複数の端末装置に対応付けながら割り当てる割当部と、
前記割当部において複数の部分期間のそれぞれを割り当てた複数の端末装置と少なくともひとつの系列にて通信を実行する通信部とを備え、
前記割当部は、
複数の端末装置のそれぞれに対する系列の数を特定する特定部と、
複数の部分期間において、信号を送信するための部分期間が連続した後に、信号を受信するための部分期間が連続し、かつ信号を送信するための部分期間に割り当てられる端末装置の順番とは反対の順番に、信号を受信するための部分期間に割り当てられる端末装置の順番が規定されており、信号を送信するための部分期間の連続のうちの前方の部分期間に、前記特定部において特定した系列の数の多い端末装置を割り当てる実行部を備えることを特徴とする無線装置。
【請求項６】
前記通信部は、信号を受信するための部分期間において、端末装置から信号を送信するための部分期間にて送信した信号に対する応答を受信することを特徴とする請求項１から５のいずれかに記載の無線装置。
【発明の詳細な説明】
【技術分野】
【０００１】
本発明は、無線装置に関し、特に複数のサブキャリアを使用する無線装置に関する。
【背景技術】
【０００２】
高速なデータ伝送を可能にしつつ、マルチパス環境下に強い通信方式として、マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式がある。このＯＦＤＭ変調方式は、無線ＬＡＮ（Ｌｏｃａｌ  Ａｒｅａ  Ｎｅｔｗｏｒｋ）の標準化規格であるＩＥＥＥ８０２．１１ａ，ｇやＨＩＰＥＲＬＡＮ／２に適用されている。このような無線ＬＡＮにおけるパケット信号は、一般的に時間と共に変動する伝送路環境を介して伝送され、かつ周波数選択性フェージングの影響を受けるので、受信装置は一般的に伝送路推定を動的に実行する。
【０００３】
受信装置が伝送路推定を実行するために、パケット信号内に、２種類の既知信号が設けられている。ひとつは、パケット信号の先頭部分において、すべてのキャリアに対して設けられた既知信号であり、いわゆるプリアンブルやトレーニング信号といわれるものである。もうひとつは、パケット信号のデータ区間中に一部のキャリアに対して設けられた既知信号であり、いわゆるパイロット信号といわれるものである（例えば、非特許文献１参照。）。
【非特許文献１】Ｓｉｎｅｍ  Ｃｏｌｅｒｉ，Ｍｕｓｔａｆａ  Ｅｒｇｅｎ，Ａｎｕｊ  Ｐｕｒｉ，  ａｎｄ  Ａｈｍａｄ  Ｂａｈａｉ，"Ｃｈａｎｎｅｌ  Ｅｓｔｉｍａｔｉｏｎ  Ｔｅｃｈｎｉｑｕｅｓ  Ｂａｓｅｄ  ｏｎ  Ｐｉｌｏｔ  Ａｒｒａｎｇｅｍｅｎｔ  ｉｎ  ＯＦＤＭ  Ｓｙｓｔｅｍｓ"，ＩＥＥＥ  Ｔｒａｎｓａｃｔｉｏｎｓ  ｏｎ  ｂｒｏａｄｃａｓｔｉｎｇ，ｖｏｌ．４８，Ｎｏ．３，ｐｐ．２２３−２２９，Ｓｅｐｔ．２００２．
【発明の開示】
【発明が解決しようとする課題】
【０００４】
ワイヤレス通信において、周波数資源を有効利用するための技術のひとつが、アダプティブアレイアンテナ技術である。アダプティブアレイアンテナ技術は、複数のアンテナのそれぞれにおいて、処理対象の信号の振幅と位相を制御することによって、アンテナの指向性パターンを制御する。このようなアダプティブアレイアンテナ技術を利用して、データレートを高速化するための技術にＭＩＭＯ（Ｍｕｌｔｉｐｌｅ  Ｉｎｐｕｔ  Ｍｕｌｔｉｐｌｅ  Ｏｕｔｐｕｔ）システムがある。当該ＭＩＭＯシステムは、送信装置と受信装置がそれぞれ複数のアンテナを備え、並列に送信されるべきパケット信号を設定する（以下、パケット信号において並列に送信されるべきデータのそれぞれを「系列」という）。すなわち、送信装置と受信装置との間の通信に対して、最大アンテナ数までの系列を設定することによって、データレートを向上させる。
【０００５】
さらに、このようなＭＩＭＯシステムに、ＯＦＤＭ変調方式を組合せれば、データレートはさらに高速化される。このようなＭＩＭＯシステムにおいて、基地局装置が複数の端末装置を多重化するために、ＣＳＭＡ（Ｃａｒｒｉｅｒ  Ｓｅｎｓｅ  Ｍｕｌｔｉｐｌｅ  Ａｃｃｅｓｓ）が実行される。さらに、基地局装置は、伝送効率の向上あるいは処理遅延の低減を目的として、一部期間において、複数の端末装置のそれぞれに信号を送信すべきタイミング（以下、「送信タイミング」という）と、複数の端末装置のそれぞれからの信号を受信すべきタイミング（以下、「受信タイミング」という）を指定する。その際、基地局装置は、当該指定を複数の端末装置のそれぞれに通知し、複数の端末装置は、指定にしたがった処理を実行する（以下、このような処理を「割当モード」という）。ここで、複数の端末装置に対する複数の送信タイミングが連続的に指定された後、複数の送信タイミングが連続的に指定されるものとする。ひとつの端末装置は、指定された送信タイミングにおいて信号を受信する。また、受信が成功した場合、端末装置は、ＡＣＫ信号を生成し、指定された受信タイミングにおいて基地局装置にＡＣＫ信号を送信する。なお、受信が失敗した場合、端末装置は、信号を生成しない。
【０００６】
本発明者はこうした状況下、以下の課題を認識するに至った。端末装置が受信を成功しても、受信タイミングまでにＡＣＫ信号を生成できなければ、端末装置は、ＡＣＫ信号を送信できない。その結果、ＡＣＫ信号の送信に遅延が発生し、基地局装置においても、以後の処理に遅延が発生する。一方、複数の端末装置の処理速度は一般的に同一でなく、さまざまな処理速度となっている。また、複数の端末装置が受信すべきパケット信号の系列数も異なっている。一般的に、系列数が多ければ、端末装置が受信する際の処理量が増加し、処理のための期間が長くなる傾向にある。
【０００７】
本発明はこうした状況に鑑みてなされたものであり、その目的は、複数の端末装置と効率よく通信するように、通信のタイミングを決定する無線装置を提供することにある。
【課題を解決するための手段】
【０００８】
上記課題を解決するために、本発明のある態様の無線装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに信号を送信してから応答を受信するまでの所要期間を推定する推定部と、複数の部分期間において、信号を送信するための部分期間が連続した後に、信号を受信するための部分期間が連続し、かつ信号を送信するための部分期間に割り当てられる端末装置の順番とは反対の順番に、信号を受信するための部分期間に割り当てられる端末装置の順番が規定されており、信号を送信するための部分期間の連続のうちの前方の部分期間に、推定部において推定した所要期間の長い端末装置を割り当てる実行部を備える。
【０００９】
この態様によると、信号を送信するための部分期間の連続のうちの前方の期間に、信号の受信から応答信号の送信までの所要期間の長い端末装置を割り当てるので、当該端末装置での受信処理に対する許容期間を長くできる。
【００１０】
本発明の別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに信号を送信してから応答を受信するまでの所要期間を推定する推定部と、複数の部分期間において、信号を送信するための部分期間が連続した後に、信号を受信するための部分期間が連続し、かつ信号を送信するための部分期間に割り当てられる端末装置の順番に、信号を受信するための部分期間に割り当てられる端末装置の順番が規定されており、信号を送信するための部分期間の連続のうちの前方の部分期間に、推定部において推定した所要期間の長い端末装置を割り当てる実行部を備える。
【００１１】
この態様によると、送信のタイミングを割り当てる順番と受信のタイミングを割り当てる順番とを同一にするので、処理を簡易にできる。
【００１２】
本発明のさらに別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに信号を送信してから応答を受信するまでの所要期間を推定する推定部と、複数の部分期間において、信号を送信するための部分期間が連続した後に、信号を受信するための部分期間が連続し、かつ信号を送信するための部分期間に割り当てられる端末装置の順番に、信号を受信するための部分期間に割り当てられる端末装置の順番が規定されており、各順番での端末装置に信号を送信してから応答を受信するまでの所要期間を推定し、所要期間が長くなる順番に対応した部分期間に、推定部において推定した所要期間の長い端末装置を割り当てる実行部を備える。
【００１３】
この態様によると、受信−送信期間が長くなる送信のタイミングに、信号の受信から応答信号の送信までの処理期間の長い端末装置を割り当てるので、当該端末装置による信号の送信の可能性を向上できる。
【００１４】
本発明のさらに別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに対する処理速度を特定する特定部と、複数の部分期間において、信号を送信するための部分期間が連続した後に、信号を受信するための部分期間が連続し、かつ信号を送信するための部分期間に割り当てられる端末装置の順番とは反対の順番に、信号を受信するための部分期間に割り当てられる端末装置の順番が規定されており、信号を送信するための部分期間の連続のうちの前方の部分期間に、特定部において特定した処理速度の遅い端末装置を割り当てる実行部を備える。
【００１５】
この態様によると、信号を送信するための部分期間の連続のうちの前方の期間に、処理速度の遅い端末装置を割り当てるので、当該端末装置での受信処理に対する許容期間を長くできる。
【００１６】
本発明のさらに別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに対する処理速度を特定する特定部と、複数の部分期間において、信号を送信するための部分期間が連続した後に、信号を受信するための部分期間が連続し、かつ信号を送信するための部分期間に割り当てられる端末装置の順番に、信号を受信するための部分期間に割り当てられる端末装置の順番が規定されており、信号を送信するための部分期間の連続のうちの前方の部分期間に、特定部において特定した処理速度の遅い端末装置を割り当てる実行部を備える。
【００１７】
この態様によると、送信のタイミングを割り当てる順番と受信のタイミングを割り当てる順番とを同一にするので、処理を簡易にできる。
【００１８】
本発明のさらに別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに対する処理速度を特定する特定部と、複数の部分期間において、信号を送信するための部分期間が連続した後に、信号を受信するための部分期間が連続し、かつ信号を送信するための部分期間に割り当てられる端末装置の順番に、信号を受信するための部分期間に割り当てられる端末装置の順番が規定されており、各順番での端末装置に信号を送信してから応答を受信するまでの所要期間を推定し、所要期間が長くなる順番に対応した部分期間に、特定部において特定した処理速度の遅い端末装置を割り当てる実行部を備える。
【００１９】
この態様によると、受信−送信期間が長くなる送信のタイミングに、処理速度の遅い端末装置を割り当てるので、当該端末装置による信号の送信の可能性を向上できる。
【００２０】
特定部は、複数の端末装置のそれぞれに対して信号を送信してから、当該信号に対する応答を受信するまでの期間をそれぞれ測定する測定部と、測定部において測定した期間をもとに、処理速度の特定を実行する実行部と、を備えてもよい。この場合、信号の受信から応答信号の送信までの所要期間として、端末装置の処理速度を特定するので、端末装置のＣＰＵ等に応じた割当を実現できる。
【００２１】
特定部は、複数の端末装置のそれぞれから、処理速度に関する情報を受けつける受付部と、受付部において受けつけた情報をもとに、処理速度の特定を実行する実行部と、を備えてもよい。
【００２２】
本発明のさらに別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と少なくともひとつの系列にて通信を実行する通信部とを備える。割当部は、複数の端末装置のそれぞれに対する系列の数を特定する特定部と、複数の部分期間において、信号を送信するための部分期間が連続した後に、信号を受信するための部分期間が連続し、かつ信号を送信するための部分期間に割り当てられる端末装置の順番とは反対の順番に、信号を受信するための部分期間に割り当てられる端末装置の順番が規定されており、信号を送信するための部分期間の連続のうちの前方の部分期間に、特定部において特定した系列の数の多い端末装置を割り当てる実行部を備える。
【００２３】
この態様によると、信号を送信するための部分期間の連続のうちの前方の期間に、系列の数の多い端末装置を割り当てるので、当該端末装置での受信処理に対する許容期間を長くできる。
【００２４】
本発明のさらに別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに対する系列の数を特定する特定部と、複数の部分期間において、信号を送信するための部分期間が連続した後に、信号を受信するための部分期間が連続し、かつ信号を送信するための部分期間に割り当てられる端末装置の順番に、信号を受信するための部分期間に割り当てられる端末装置の順番が規定されており、信号を送信するための部分期間の連続のうちの前方の部分期間に、特定部において特定した系列の数の多い端末装置を割り当てる実行部を備える。
【００２５】
この態様によると、送信のタイミングを割り当てる順番と受信のタイミングを割り当てる順番とを同一にするので、処理を簡易にできる。
【００２６】
本発明のさらに別の態様もまた、無線装置である。この装置は、一定の期間を複数の部分期間に分割し、複数の部分期間のそれぞれを複数の端末装置に対応付けながら割り当てる割当部と、割当部において複数の部分期間のそれぞれを割り当てた複数の端末装置と通信を実行する通信部とを備える。割当部は、複数の端末装置のそれぞれに対する系列の数を特定する特定部と、複数の部分期間において、信号を送信するための部分期間が連続した後に、信号を受信するための部分期間が連続し、かつ信号を送信するための部分期間に割り当てられる端末装置の順番に、信号を受信するための部分期間に割り当てられる端末装置の順番が規定されており、各順番での端末装置に信号を送信してから応答を受信するまでの所要期間を推定し、所要期間が長くなる順番に対応した部分期間に、特定部において特定した系列の数の多い端末装置を割り当てる実行部を備える。
【００２７】
この態様によると、受信−送信期間が長くなる送信のタイミングに、系列の数の多い端末装置を割り当てるので、当該端末装置による信号の送信の可能性を向上できる。
【００２８】
通信部は、信号を受信するための部分期間において、端末装置から信号を送信するための部分期間にて送信した信号に対する応答を受信してもよい。
【００２９】
なお、以上の構成要素の任意の組合せ、本発明の表現を方法、装置、システム、記録媒体、コンピュータプログラムなどの間で変換したものもまた、本発明の態様として有効である。
【発明の効果】
【００３０】
本発明によれば、複数の端末装置と効率よく通信するように、通信のタイミングを決定できる。
【発明を実施するための最良の形態】
【００３１】
本発明を具体的に説明する前に、概要を述べる。本発明の実施例は、複数の無線装置によって構成されるＭＩＭＯシステムに関する。無線装置のうちのひとつは、基地局装置に相当し、残りは、複数の端末装置に相当する。基地局装置は、基本的に複数の端末装置に対して、ＣＳＭＡを実行する。また、一定の期間にわたって、基地局装置は、割当モードを実行する。このような状況下において、端末装置が送信タイミングにて信号を受信し、受信タイミングまでにＡＣＫ信号を生成できるように、基地局装置は、以下のように処理を実行する。
【００３２】
基地局装置は、指定を実行する前に、複数の端末装置の処理速度を予め特定し、特定した処理速度を反映させながら、割当モードを実行する。具体的には、基地局装置は、複数の送信タイミングを連続的に指定した後、複数の受信タイミングを連続的に指定する。さらに、基地局装置は、送信タイミングを指定した端末装置の順番と反対の順番に、端末装置に対する受信タイミングを指定する。すなわち、端末装置を「１」から「３」として示す場合、基地局装置は、「１」から「３」の順番に送信タイミングを指定し、「３」から「１」の順番に受信タイミングを指定する。その際、基地局装置は、処理速度の遅い端末装置に対して、前方の送信タイミングを割り当てる。その結果、処理速度の遅い端末装置に対して、送信タイミングから受信タイミングまでの期間が長くなる。
【００３３】
図１は、本発明の実施例に係るマルチキャリア信号のスペクトルを示す。特に、図１は、ＯＦＤＭ変調方式での信号のスペクトルを示す。ＯＦＤＭ変調方式における複数のキャリアのひとつをサブキャリアと一般的に呼ぶが、ここではひとつのサブキャリアを「サブキャリア番号」によって指定するものとする。ＭＩＭＯシステムには、サブキャリア番号「−２８」から「２８」までの５６サブキャリアが規定されている。なお、サブキャリア番号「０」は、ベースバンド信号における直流成分の影響を低減するため、ヌルに設定されている。一方、ＭＩＭＯに対応していない通信システム（以下、「従来システム」という）には、サブキャリア番号「−２６」から「２６」までの５２サブキャリアが規定されている。なお、従来システムの一例は、ＩＥＥＥ８０２．１１ａ規格に準拠した無線ＬＡＮである。
【００３４】
また、それぞれのサブキャリアは、可変に設定された変調方式によって変調されている。変調方式には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのいずれかが使用される。
【００３５】
また、これらの信号には、誤り訂正方式として、畳み込み符号化が適用されている。畳み込み符号化の符号化率は、１／２、３／４等に設定される。さらに、並列に送信すべきデータの数は、可変に設定される。なお、データは、パケット信号として送信されており、ここでは、並列に送信すべきパケット信号のそれぞれを「系列」と呼ぶ。その結果、変調方式、符号化率、系列の数の値が可変に設定されることによって、データレートも可変に設定される。なお、「データレート」は、これらの任意の組合せによって決定されてもよいし、これらのうちのひとつによって決定されてもよい。
【００３６】
図２は、本発明の実施例に係る通信システム１００の構成を示す。通信システム１００は、無線装置１０と総称される第１無線装置１０ａ、第２無線装置１０ｂを含む。また、第１無線装置１０ａは、アンテナ１２と総称される第１アンテナ１２ａ、第２アンテナ１２ｂ、第３アンテナ１２ｃ、第４アンテナ１２ｄを含み、第２無線装置１０ｂは、アンテナ１４と総称される第１アンテナ１４ａ、第２アンテナ１４ｂ、第３アンテナ１４ｃ、第４アンテナ１４ｄを含む。ここで、第１無線装置１０ａが、基地局装置に対応し、第２無線装置１０ｂが、端末装置に対応する。さらに、第１無線装置１０ａは、図示していない複数の端末装置と接続してもよい。ここで、図示していない複数の端末装置は、第３無線装置１０ｃ、第４無線装置１０ｄ等と示される。また、第１無線装置１０ａは、複数の端末装置を接続する際に、基本的にＣＳＭＡを実行する。さらに、前述のごとく、第１無線装置１０ａは、割当モードも実行する。なお、割当モードの詳細は、後述する。
【００３７】
通信システム１００の構成を説明する前に、ＭＩＭＯシステムの概略を説明する。データは、第１無線装置１０ａから第２無線装置１０ｂに送信されているものとする。第１無線装置１０ａは、第１アンテナ１２ａから第４アンテナ１２ｄのそれぞれから、複数の系列のデータをそれぞれ送信する。その結果、データレートが高速になる。第２無線装置１０ｂは、第１アンテナ１４ａから第４アンテナ１４ｄによって、複数の系列のデータを受信する。さらに、第２無線装置１０ｂは、アダプティブアレイ信号処理によって、受信したデータを分離して、複数の系列のデータを独立に復調する。
【００３８】
ここで、アンテナ１２の本数は「４」であり、アンテナ１４の本数も「４」であるので、アンテナ１２とアンテナ１４の間の伝送路の組合せは「１６」になる。第ｉアンテナ１２ｉから第ｊアンテナ１４ｊとの間の伝送路特性をｈｉｊと示す。図中において、第１アンテナ１２ａと第１アンテナ１４ａとの間の伝送路特性がｈ１１、第１アンテナ１２ａから第２アンテナ１４ｂとの間の伝送路特性がｈ１２、第２アンテナ１２ｂと第１アンテナ１４ａとの間の伝送路特性がｈ２１、第２アンテナ１２ｂから第２アンテナ１４ｂとの間の伝送路特性がｈ２２、第４アンテナ１２ｄから第４アンテナ１４ｄとの間の伝送路特性がｈ４４と示されている。なお、これら以外の伝送路は、図の明瞭化のために省略する。
【００３９】
図３（ａ）−（ｂ）は、通信システム１００におけるパケットフォーマットを示す。図３（ａ）は、ＭＩＭＯシステムに対応したプリアンブル信号が先頭部分に配置されたパケットフォーマットである。ここでは、ふたつの系列に含まれたデータが、送信の対象とされるものとし、第１の系列に対応したパケットフォーマットが上段に示され、第２の系列に対応したパケットフォーマットが下段に示される。第１の系列に対応したパケット信号には、プリアンブル信号として「ＳＴＳ１」と「ＬＴＳ１」が配置され、第２の系列に対応したパケット信号には、プリアンブル信号として「ＳＴＳ２」と「ＬＴＳ２」が配置される。ここで、「ＳＴＳ１」と「ＳＴＳ２」、および「ＬＴＳ１」と「ＬＴＳ２」は、互いにパターンの異なった信号である。
【００４０】
図３（ｂ）は、ＭＩＭＯシステムに対応したプリアンブル信号の前段に、従来システムに対応したプリアンブル信号が、さらに配置されたパケットフォーマットを示す。ここで、従来システムに対応したプリアンブル信号のＳＴＳとＬＴＳは、第１の系列において、「Ｌ−ＳＴＳ」と「Ｌ−ＬＴＳ」とそれぞれ示される。一方、第２の系列にも、「Ｌ−ＳＴＳ」等が割り当てられる。その際、例えば、第２の系列に割り当てられる「Ｌ−ＳＴＳ」等には、ＣＤＤ（Ｃｙｃｌｉｃ  Ｄｅｌａｙ  Ｄｉｖｅｒｓｉｔｙ）がなされている。すなわち、第２の系列に割り当てられるＬ−ＳＴＳには、第１の系列に割り当てられるＬ−ＳＴＳに対して、循環的なタイミングシフトがなされている。ここで、図示のごとく、ＣＤＤがなされた「Ｌ−ＳＴＳ」は、「Ｌ−ＳＴＳ＋ＣＤＤ」と示される。なお、「Ｌ−ＳＴＳ」等が、第３の系列等に割り当てられる場合も同様である。
【００４１】
また、従来システムに対応したプリアンブル信号とＭＩＭＯシステムに対応したプリアンブル信号との間には、「シグナル」が配置されている。「シグナル」には、ＭＩＭＯシステムに対応したプリアンブル信号が後段に配置されている旨を示した情報が含まれている。そのため、従来システムの通信装置が当該パケット信号を受信した場合、当該通信装置は、「シグナル」の内容から当該パケット信号を破棄してもよい。また、プリアンブル信号が配置された旨を示した情報は、パケット信号の長さであってもよく、つまり何らかの信号がある時間継続することが判断できればよい。図３（ａ）−（ｂ）に示されたパケットフォーマットのうち、いずれが使用されてもよい。図３（ａ）のパケットフォーマットは、冗長な信号成分が少ないので利用効率を向上できる。一方、図３（ｂ）のパケットフォーマットには、従来システムに対応したプリアンブル信号が付加されているので、従来システムに対応した通信装置でも検出される。
【００４２】
図４は、第１無線装置１０ａの構成を示す。第１無線装置１０ａは、無線部２０と総称される第１無線部２０ａ、第２無線部２０ｂ、第４無線部２０ｄ、ベースバンド処理部２２、変復調部２４、ＩＦ部２６、制御部３０を含む。また信号として、時間領域信号２００と総称される第１時間領域信号２００ａ、第２時間領域信号２００ｂ、第４時間領域信号２００ｄ、周波数領域信号２０２と総称される第１周波数領域信号２０２ａ、第２周波数領域信号２０２ｂ、第４周波数領域信号２０２ｄを含む。なお、第２無線装置１０ｂは、第１無線装置１０ａに対応するように構成される。
【００４３】
無線部２０は、受信動作として、アンテナ１２によって受信した無線周波数の信号を周波数変換し、ベースバンドの信号を導出する。無線部２０は、ベースバンドの信号を時間領域信号２００としてベースバンド処理部２２に出力する。一般的に、ベースバンドの信号は、同相成分と直交成分によって形成されるので、ふたつの信号線によって伝送されるべきであるが、ここでは、図を明瞭にするためにひとつの信号線だけを示すものとする。また、ＡＧＣ（Ａｕｔｏｍａｔｉｃ  Ｇａｉｎ  Ｃｏｎｔｒｏｌ）やＡ／Ｄ変換部も含まれる。
【００４４】
無線部２０は、送信動作として、ベースバンド処理部２２からのベースバンドの信号を周波数変換し、無線周波数の信号を導出する。ここで、ベースバンド処理部２２からのベースバンドの信号も時間領域信号２００として示す。無線部２０は、無線周波数の信号をアンテナ１２に出力する。また、ＰＡ（Ｐｏｗｅｒ  Ａｍｐｌｉｆｉｅｒ）、Ｄ／Ａ変換部も含まれる。時間領域信号２００は、時間領域に変換されたマルチキャリア信号であり、デジタル信号であるものとする。
【００４５】
ベースバンド処理部２２は、受信動作として、複数の時間領域信号２００をそれぞれ周波数領域に変換し、周波数領域の信号に対してアダプティブアレイ信号処理を実行する。ベースバンド処理部２２は、アダプティブアレイ信号処理の結果を周波数領域信号２０２として出力する。ひとつの周波数領域信号２０２が、図示しない第２無線装置１０ｂから送信された複数の系列のそれぞれに含まれたデータに相当する。また、ベースバンド処理部２２は、送信動作として、変復調部２４から、周波数領域の信号としての周波数領域信号２０２を入力し、周波数領域の信号を時間領域に変換し、複数のアンテナ１２のそれぞれに対応づけながら時間領域信号２００として出力する。
【００４６】
送信処理において使用すべきアンテナ１２の数は、制御部３０によって指定されるものとする。ここで、周波数領域の信号である周波数領域信号２０２は、図１のごとく、複数のサブキャリアの成分を含むものとする。図を明瞭にするために、周波数領域の信号は、サブキャリア番号の順番に並べられて、シリアル信号を形成しているものとする。
【００４７】
図５は、周波数領域の信号の構成を示す。ここで、図１に示したサブキャリア番号「−２８」から「２８」のひとつの組合せを「ＯＦＤＭシンボル」というものとする。「ｉ」番目のＯＦＤＭシンボルは、サブキャリア番号「１」から「２８」、サブキャリア番号「−２８」から「−１」の順番にサブキャリア成分を並べているものとする。また、「ｉ」番目のＯＦＤＭシンボルの前に、「ｉ−１」番目のＯＦＤＭシンボルが配置され、「ｉ」番目のＯＦＤＭシンボルの後ろに、「ｉ＋１」番目のＯＦＤＭシンボルが配置されているものとする。
【００４８】
図４に戻る。また、ベースバンド処理部２２は、図３（ｂ）のパケットフォーマットに対応したパケット信号を生成するために、ＣＤＤを実行する。ＣＤＤは、行列Ｃとして、以下のように実行される。
【００４９】
【数１】
0004738195.tif 000002
ここで、δは、シフト量を示し、ｌは、サブキャリア番号を示している。さらに、行列Ｃと系列との乗算は、サブキャリアを単位にして実行される。すなわち、ベースバンド処理部２２は、Ｌ−ＳＴＳ等内での循環的なタイムシフトを系列単位に実行する。また、シフト量は、系列を単位にして異なった値に設定される。
【００５０】
変復調部２４は、受信処理として、ベースバンド処理部２２からの周波数領域信号２０２に対して、復調および復号を実行する。なお、復調および復号は、サブキャリア単位でなされる。変復調部２４は、復号した信号をＩＦ部２６に出力する。また、変復調部２４は、送信処理として、符号化および変調を実行する。変復調部２４は、変調した信号を周波数領域信号２０２としてベースバンド処理部２２に出力する。送信処理の際に、変調方式および符号化率は、制御部３０によって指定されるものとする。
【００５１】
ＩＦ部２６は、受信処理として、複数の変復調部２４からの信号を合成し、ひとつのデータストリームを形成する。ＩＦ部２６は、データストリームを出力する。また、ＩＦ部２６は、送信処理として、ひとつのデータストリームを入力し、これを分離する。さらに、分離したデータを複数の変復調部２４に出力する。
【００５２】
制御部３０は、第１無線装置１０ａのタイミング等を制御する。また、制御部３０は、複数の端末装置を多重化する際に、ＣＳＭＡを実行する。ＣＳＭＡは、公知の技術であるので、ここでは、説明を省略する。また、ＣＳＭＡに加えて、制御部３０は、割当モードを実行する。当該割当モードは、一定の期間において実行される。なお、割当モードを実行する前に、制御部３０は、ベースバンド処理部２２等を介して、複数の端末装置に割当モードの開始を通知する。通知を受けつける端末装置には、割当モードに含まれる端末装置に加えて、割当モードに含まれない端末装置も含まれる。
【００５３】
割当モードにおいて、制御部３０は、先頭部分にて制御情報を送信する。また、制御情報に続いて、複数の端末装置に送信すべきパケット信号が割り当てられる。割当られるパケット信号は、例えば、複数のパケット信号の連続によって形成される。また、割り当てられる少なくともひとつのパケット信号は時分割されており、時分割されたそれぞれの部分が端末装置に割り当てられてもよい。どちらの構成であっても、制御部３０は、複数の端末装置に対して、信号を送信するための部分期間を割り当てる。なお、部分期間は、ひとつの端末装置に対する期間を個別に示してもよいし、複数の端末装置に対する期間を一体的に示してもよいが、ここでは、これらを区別せずに使用する。
【００５４】
さらに、信号を送信するための部分期間に続いて、制御部３０は、複数の端末装置から信号を受信するための部分期間をそれぞれ割り当てる。端末装置は、割り当てられた部分期間において、第１無線装置１０ａにパケット信号を送信する。これは、複数のパケットが連続して割り当てられる。すなわち、制御部３０は、一定の期間を複数の部分期間に分割し、複数の部分期間のそれぞれを複数の端末装置に対応付けながら割り当てる。なお、制御信号は、部分期間と端末装置との対応が示された情報を含む。
【００５５】
ここで、部分期間への端末装置の割当方法を説明する。割当モードを実行する前に、制御部３０は、複数の端末装置のそれぞれに対する処理速度を特定する。ここで、処理速度とは、端末装置が、パケット信号を受信してから、ＡＣＫ信号を生成し、当該ＡＣＫ信号を送信するまでの処理の速度を含む概念である。一般的に、処理速度は、端末装置に含まれたＣＰＵの処理速度等に依存する。制御部３０による処理速度の特定は、以下のように実行される。制御部３０は、ベースバンド処理部２２等を介して、複数の端末装置のそれぞれに対して、所定のパケット信号を送信する。所定のパケット信号は、ＣＳＭＡの際に、通常のデータとして送信される。
【００５６】
また、制御部３０は、パケット信号を送信してから、当該パケット信号に対応したＡＣＫ信号を受信するまでの期間を端末装置単位に測定する。さらに、制御部３０は、測定した期間をもとに、処理速度の特定を実行する。例えば、制御部３０は、測定した期間の短い端末装置を処理速度の速い端末装置として特定する。なお、制御部３０は、測定した期間を統計処理し、統計処理した期間をもとに、処理速度の特定を実行してもよい。このような特定は、複数の端末装置のそれぞれに信号を送信してからＡＣＫ信号を受信するまでの所要期間の推定と等価である。
【００５７】
割当モードでは、前述のごとく、複数の部分期間において、信号を送信するための部分期間が連続した後に、信号を受信するための部分期間が連続している。ここで、連続とは、ふたつの部分期間の間に、切れ目がないということではなく、切れ目があっても、そこに別の機能を有した部分期間が割り当てられていないことである。すなわち、信号を送信すべき部分期間の間に、信号を受信すべき部分期間が割り当てられていなければよい。また、信号を送信するための部分期間に割り当てられる端末装置の順番とは反対の順番に、信号を受信するための部分期間に割り当てられる端末装置の順番が規定されている。前述のごとく、第２無線装置１０ｂから第４無線装置１０ｄと示される３つの端末装置を接続する場合、基地局装置は、第２無線装置１０ｂから第４無線装置１０ｄの順番に送信タイミングを指定し、第４無線装置１０ｄから第２無線装置１０ｂの順番に受信タイミングを指定する。
【００５８】
さらに、制御部３０は、信号を送信するための部分期間の連続のうちの前方の期間に、処理速度の遅い端末装置を割り当てる。すなわち、前述の例は、第２無線装置１０ｂが処理速度の最も遅い端末装置である場合に相当する。このような割当によって、第２無線装置１０ｂにとって、パケット信号を受信してからＡＣＫ信号を生成し、さらにＡＣＫ信号を送信するまでの期間が長くなる。なお、端末装置は、信号を受信すべき部分期間において、ＡＣＫ信号を送信するものとする。また、第１無線装置１０ａのベースバンド処理部２２等は、ＡＣＫ信号を受信する。制御部３０は、ＡＣＫ信号の受信を認識すると、ベースバンド処理部２２等に対して、次に端末装置に送信すべきパケット信号を準備させる。
【００５９】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００６０】
図６は、ベースバンド処理部２２の構成を示す。ベースバンド処理部２２は、受信用処理部５０、送信用処理部５２を含む。受信用処理部５０は、ベースバンド処理部２２における動作のうち、受信動作に対応する部分を実行する。すなわち、受信用処理部５０は、時間領域信号２００に対してアダプティブアレイ信号処理を実行しており、そのために受信ウエイトベクトルの導出を実行する。また、受信用処理部５０は、アレイ合成した結果を周波数領域信号２０２として出力する。
【００６１】
具体的に、受信用処理部５０の処理を説明する。受信用処理部５０は、複数の時間領域信号２００を入力し、それぞれに対してフーリエ変換を実行して、周波数領域の信号を導出する。前述のごとく、ひとつの周波数領域の信号は、サブキャリア番号の順に、サブキャリアに対応した信号をシリアルに並べている。
【００６２】
また、受信用処理部５０は、受信ウエイトベクトルによって、周波数領域の信号を重みづけし、重みづけされた複数の信号が加算される。ここで、周波数領域の信号は、複数のサブキャリアによって構成されるので、以上の処理もサブキャリアを単位にして実行される。その結果、加算された信号も、図５のごとく、サブキャリア番号の順にシリアルに並べられている。また、加算された信号が、前述の周波数領域信号２０２である。
【００６３】
受信用処理部５０は、適応アルゴリズム、例えば、ＬＭＳアルゴリズムによって受信ウエイトベクトルを導出する。あるいは、相関処理によって受信応答ベクトルを導出し、受信応答ベクトルから受信ウエイトベクトルを導出してもよい。ここでは、後者を説明する。第１時間領域信号２００ａに対応した周波数領域の信号をｘ１（ｔ）、第２時間領域信号２００ｂに対応した周波数領域の信号をｘ２（ｔ）と示し、第１の系列における参照信号をＳ１（ｔ）、第２の系列における参照信号をＳ２（ｔ）と示せば、ｘ１（ｔ）とｘ２（ｔ）は、次のように示される。
【００６４】
【数２】
0004738195.tif 000003
ここで、雑音は無視する。第１の相関行列Ｒ１は、Ｅをアンサンブル平均として、次のように示される。
【００６５】
【数３】
0004738195.tif 000004
参照信号間の第２の相関行列Ｒ２は、次のように計算される。
【００６６】
【数４】
0004738195.tif 000005
最終的に、第２の相関行列Ｒ２の逆行列と第１の相関行列Ｒ１を乗算することによって、受信応答ベクトルが導出される。
【００６７】
【数５】
0004738195.tif 000006
さらに、受信用処理部５０は、受信応答ベクトルから受信ウエイトベクトルを計算する。
【００６８】
送信用処理部５２は、ベースバンド処理部２２における動作のうち、送信動作に対応する部分を実行する。送信用処理部５２は、ビームフォーミングや固有モード伝送を実行してもよい。これらについては、公知の技術を使用すればよいので、説明を省略する。
【００６９】
図７は、通信システム１００におけるタイミングの割当の概要を説明するための図である。図は、制御部３０によって割り当てられたタイミングを示しており、第１無線装置１０ａから第４無線装置１０ｄによるパケット信号の送信タイミングが示されている。なお、第２無線装置１０ｂから第４無線装置１０ｄによるパケット信号の送信タイミングは、第１無線装置１０ａでのパケット信号の受信タイミングとして示される。ここでは、第１無線装置１０ａでの処理を中心にして、「制御用タイミング期間」、「送信タイミング期間」、「受信タイミング期間」を順番に配置する。なお。制御部３０は、端末装置の処理速度として、第２無線装置１０ｂが最も遅く、第４無線装置１０ｄが最も速いことを既に特定している。
【００７０】
制御部３０は、制御用タイミング期間において、制御信号を送信する。また、制御部３０は、送信タイミング期間において、「データ２」、「データ３」、「データ４」の順番に送信タイミングを割り当てる。ここで、「データ２」は、第１無線装置１０ａから第２無線装置１０ｂに送信されるデータを示し、「データ３」は、第１無線装置１０ａから第３無線装置１０ｃに送信されるデータを示し、「データ４」は、第１無線装置１０ａから第４無線装置１０ｄに送信されるデータを示す。すなわち、制御部３０は、前述のごとく、最も処理速度の遅い第２無線装置１０ｂに対して、先頭の送信タイミングを割り当てる。ここで、「データ２」、「データ３」、「データ４」のそれぞれは、図３（ａ）−（ｂ）に示されるバーストフォーマットをそれぞれ有していてもよい。すなわち、これらが別個のパケット信号として形成されていてもよい。
【００７１】
また、「データ２」、「データ３」、「データ４」は、図３（ａ）−（ｂ）に示されるバーストフォーマットのうち、「データ１」と「データ２」とを時分割した部分に含まれてもよい。すなわち、これらがひとつのパケット信号として形成されていてもよい。制御部は、受信タイミング期間において、データを送信した端末装置の順番と逆の順番に、受信タイミングを割り当てる。すなわち、制御部３０は、受信タイミング期間の先頭に、第４無線装置１０ｄからのパケット信号である「データ４’」と「ＡＣＫ」を割り当てる。これに続いて、制御部３０は、第３無線装置１０ｃからのパケット信号である「データ３’」と「ＡＣＫ」を割り当てる。最後に、制御部３０は、第２無線装置１０ｂからのパケット信号である「データ２’」と「ＡＣＫ」を割り当てる。なお、「ＡＣＫ」だけが送信されてもよい。
【００７２】
図８は、通信システム１００における処理速度の特定手順を示すシーケンス図である。第１無線装置１０ａは、パケット信号を第２無線装置１０ｂに送信し（Ｓ１０）、それとともに、タイマーを開始する（Ｓ１２）。第２無線装置１０ｂは、パケット信号を受信すると、ＡＣＫ信号を生成する（Ｓ１４）。第２無線装置１０ｂは、第１無線装置１０ａに、ＡＣＫ信号を送信する（Ｓ１６）。第１無線装置１０ａは、ＡＣＫ信号を受信すると、タイマーを停止することによって（Ｓ１８）、パケット信号を送信してからＡＣＫ信号を受信するまでの期間を測定する。さらに、第１無線装置１０ａは、測定した期間をもとに処理速度を特定する（Ｓ２０）。なお、以上の処理は、第２無線装置１０ｂだけでなく、第３無線装置１０ｃ等に対しても実行される。
【００７３】
以下、変形例を説明する。これまで、制御部３０は、複数の端末装置のそれぞれに信号を送信してからＡＣＫ信号を受信するまでの所要期間として、複数の端末装置の処理速度をそれぞれ特定した。さらに、処理速度に応じて送信タイミングの割当を実行した。ここでは、複数の端末装置のそれぞれに信号を送信してからＡＣＫ信号を受信するまでの所要期間として、複数の端末装置に送信すべき系列の数をそれぞれ特定する。端末装置がパケット信号を受信する際に、パケット信号に含まれた系列の数が多ければ、端末装置によって当該パケット信号が処理される期間が一般的に長くなる。なぜなら、複数の系列に対する受信処理を並列に実行する必要が生じるからである。そのため、制御部３０は、端末装置の処理速度に関係なく、信号を送信するための部分期間の連続のうちの前方の期間に、送信すべき系列の数の多い端末装置を割り当てる。図７に示された第２無線装置１０ｂが、送信すべき系列の数の多い端末装置に相当する。
【００７４】
本発明の実施例によれば、信号を送信するための部分期間の連続のうちの前方の期間に、信号の受信からＡＣＫ信号の送信までの所要期間の長い端末装置を割り当てるので、当該端末装置での受信処理に対する許容期間を長くできる。また、許容期間を長くできるので、ＡＣＫ信号を送信すべきタイミングまでに、ＡＣＫ信号を生成できる可能性を高くできる。また、基地局装置は、早期にＡＣＫ信号を受信するので、継続する処理を早期に実行できる。また、複数の端末装置と効率よく通信するように、通信のタイミングを決定できる。また、信号の受信からＡＣＫ信号の送信までの所要期間として、端末装置の処理速度を特定するので、端末装置のＣＰＵ等に応じた割当を実現できる。また、端末装置の処理速度をデータ通信の最中に測定するので、送信すべき信号の増加を抑制できる。また、送信すべき信号の増加を抑制できるので、伝送効率を向上できる。
【００７５】
次に、その他の変形例を説明する。この変形例での割当モードでは、前述の変形例と同様に、信号を送信するための部分期間と、信号を受信するための部分期間が配置される。しかしながら、変形例において、基地局装置は、送信タイミングを指定した端末装置の順番に、端末装置に対する受信タイミングを指定する。すなわち、端末装置を「１」から「３」として示す場合、基地局装置は、「１」から「３」の順番に送信タイミングを指定し、「１」から「３」の順番に受信タイミングも指定する。基地局装置から送信される信号の期間は、基地局装置にて受信される信号の期間よりも一般的に長くなる。そのため、前方の送信タイミングに割り当てられた端末装置の方が、信号を受信してから信号を送信するまでの期間を長くできる。そのため、基地局装置は、信号を送信してから応答を受信するまでの所要期間の長い端末装置に対して、前方の送信タイミングへの割当を実行する。
【００７６】
本変形例に係る無線装置１０の構成は、図４の無線装置１０と同様のタイプである。ここでは、制御部３０での処理が異なっており、異なっている部分を説明する。制御部３０は、信号を送信するための部分期間に割り当てられる端末装置の順番に、信号を受信するための部分期間に割り当てられる端末装置の順番を規定する。さらに、制御部３０は、信号を送信するための部分期間の連続のうちの前方の部分期間に、処理速度の遅い端末装置を割り当てる。
【００７７】
図９は、通信システム１００におけるタイミングの割当の他の変形例の概要を説明するための図である。図９は、図７と同様に示される。制御部３０は、制御用タイミング期間において、制御信号を送信する。また、制御部３０は、送信タイミング期間において、「データ２」、「データ３」、「データ４」の順番に送信タイミングを割り当てる。制御部３０は、前述のごとく、最も処理速度の遅い第２無線装置１０ｂに対して、先頭の送信タイミングを割り当てる。制御部は、受信タイミング期間において、データを送信した端末装置の順番に、受信タイミングを割り当てる。すなわち、制御部３０は、受信タイミング期間の先頭に、「データ２’」と「ＡＣＫ」を割り当てる。これに続いて、制御部３０は、「データ３’」と「ＡＣＫ」を割り当てる。最後に、制御部３０は、「データ４’」と「ＡＣＫ」を割り当てる。
【００７８】
このような変形例において、制御部３０は、複数の端末装置のそれぞれに信号を送信してからＡＣＫ信号を受信するまでの所要期間として、複数の端末装置の処理速度をそれぞれ特定した。さらに、処理速度に応じて送信タイミングの割当を実行した。これとは別に、制御部３０は、複数の端末装置のそれぞれに信号を送信してからＡＣＫ信号を受信するまでの所要期間として、複数の端末装置に送信すべき系列の数をそれぞれ特定してもよい。その際、制御部３０は、端末装置の処理速度に関係なく、信号を送信するための部分期間の連続のうちの前方の期間に、送信すべき系列の数の多い端末装置を割り当てる。すなわち、図９に示された第２無線装置１０ｂが、送信すべき系列の数の多い端末装置に相当する。
【００７９】
次に、さらに異なるその他の変形例を説明する。この変形例での割当モードでは、前述の変形例と同様に、信号を送信するための部分期間と信号を受信するための部分期間との配置がなされる。また、送信タイミングを指定した端末装置の順番に、端末装置に対する受信タイミングが指定される。すなわち、送信タイミングの順番が決定されれば、受信タイミングの順番も決定される。しかしながら以下の点が、実施例及び変形例と異なる。基地局装置は、送信タイミングの順番を割り当てるべき端末装置の順番の組合せを変えながら、各組合せにおいて、端末装置に対する送信タイミングの終了後から受信タイミングの開始までの期間（以下、「受信−送信期間」という）を推定する。
【００８０】
一般的に、基地局装置によって送信されるパケット信号の長さと受信されるパケット信号の長さは、端末装置に応じて異なる。そのため、端末装置の順番を入れ替えると、それぞれの端末装置に対する受信−送信期間が変化する。基地局装置は、様々な組合せの中から、受信−送信期間が長くなるような組合せを特定する。その際、受信−送信期間が長くなっている端末装置が、処理速度の遅い端末装置となるように、基地局装置は、送信タイミングの割当を実行する。
【００８１】
本変形例に係る無線装置１０の構成は、図４の無線装置１０と同様のタイプである。ここでは、制御部３０での処理が異なっており、異なっている部分を説明する。制御部３０は、各順番での受信−送信期間を推定する。この説明を容易にするために、ふたつの端末装置を想定し、これを端末装置「１」、「２」とする。制御部３０は、送信タイミングの割当の順番として、「１」、「２」となる組合せ（以下、「第１の組合せ」）を対象とする。その際、端末装置「１」と「２」のそれぞれに対して、受信−送信期間を導出する。なお、端末装置「１」と「２」のそれぞれに対して、送信するための部分期間と受信するための部分期間は、予め認識されている。これに続いて、制御部３０は、送信タイミングの割当の順番として、「２」、「１」となる組合せ（以下、「第２の組合せ」）を対象とする。
【００８２】
その際、端末装置「２」と「１」のそれぞれに対して、受信−送信期間を導出する。また、制御部３０は、実施例と同様の処理によって、端末装置「１」と「２」のそれぞれの処理速度を取得し、端末装置「１」の処理速度の方が遅いことを認識しているものとする。制御部３０は、第１の組合せと第２の組合せのそれぞれに対する端末装置「１」の受信−送信期間を比較する。その結果、第１の組合せでの受信−送信期間の方が長ければ、制御部３０は、端末装置「１」、「２」の順番に送信タイミングを割り当てる。一方、第２の組合せでの受信−送信期間の方が長ければ、制御部３０は、端末装置「２」、「１」の順番に送信タイミングを割り当てる。すなわち、制御部３０は、受信−送信期間が長くなる順番に対応した部分期間に、処理速度の遅い端末装置を割り当てる。
【００８３】
図１０は、通信システムにおけるタイミングの割当のさらに他の変形例の概要を説明するための図である。図１０は、図９と同様に示されているので、ここでは、異なっている部分を説明する。図９は、複数の組合せのうちのひとつを示し、制御部３０は、第２無線装置１０ｂ、第３無線装置１０ｃ、第４無線装置１０ｄの順番に送信タイミングを割り当てている。ここで、「Ａ」、「Ｂ」、「Ｃ」は、第２無線装置１０ｂから第４無線装置１０ｄのそれぞれに対する受信−送信期間を示す。さらに、制御部３０は、図示しない他の組合せに対しても、同様の処理を実行する。その結果、制御部３０は、それぞれの組合せに対して、各無線装置１０に対する受信−送信期間を特定する。また、制御部３０は、第２無線装置１０ｂから第４無線装置１０ｄのそれぞれに対する処理速度を取得する。最終的に、処理速度の遅い無線装置１０に対する受信−送信期間が長くなるような組合せを選択する。その結果、選択された組合せによって、送信タイミングと受信タイミングの順番が特定される。
【００８４】
このような変形例において、制御部３０は、複数の端末装置のそれぞれに信号を送信してからＡＣＫ信号を受信するまでの所要期間として、複数の端末装置の処理速度をそれぞれ特定した。さらに、処理速度に応じて送信タイミングの割当を実行した。これとは別に、制御部３０は、複数の端末装置のそれぞれに信号を送信してからＡＣＫ信号を受信するまでの所要期間として、複数の端末装置に送信すべき系列の数をそれぞれ特定してもよい。その際、制御部３０は、端末装置の処理速度に関係なく、信号を送信するための部分期間の連続のうちの前方の期間に、送信すべき系列の数の多い端末装置を割り当てる。
【００８５】
本発明の実施例によれば、信号を送信するための部分期間の連続のうちの前方の期間に、信号の受信からＡＣＫ信号の送信までの所要期間の長い端末装置を割り当てるので、当該端末装置での受信処理に対する許容期間を長くできる。また、許容期間を長くできるので、ＡＣＫ信号を送信すべきタイミングまでに、ＡＣＫ信号を生成できる可能性を高くできる。また、基地局装置は、早期にＡＣＫ信号を受信するので、継続する処理を早期に実行できる。また、複数の端末装置と効率よく通信するように、通信のタイミングを決定できる。また、信号の受信からＡＣＫ信号の送信までの所要期間として、端末装置の処理速度を特定するので、端末装置のＣＰＵ等に応じた割当を実現できる。
【００８６】
また、端末装置の処理速度をデータ通信の最中に測定するので、送信すべき信号の増加を抑制できる。また、送信すべき信号の増加を抑制できるので、伝送効率を向上できる。また、信号を送信するための部分期間の連続のうちの前方の期間に、送信される信号の系列の数が多い端末装置を割り当てるので、当該端末装置での受信処理に対する許容期間を長くできる。また、許容期間を長くできるので、当該端末装置の処理速度を認識していなくても、ＡＣＫ信号を送信すべきタイミングまでに、ＡＣＫ信号を生成できる可能性を高くできる。
【００８７】
また、送信タイミングを割り当てる順番と受信タイミングを割り当てる順番とを同一にするので、処理を簡易にできる。また、受信−送信期間が長くなる送信タイミングに、処理速度の遅い端末装置を割り当てるので、当該端末装置によるＡＣＫ信号の送信の可能性を向上できる。また、受信−送信期間が長くなる送信タイミングに、処理速度の遅い端末装置を割り当てるので、当該端末装置によるＡＣＫ信号の送信の可能性を向上できる。
【００８８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００８９】
本発明の実施例において、制御部３０は、処理速度を特定するために、パケット信号を送信してから、当該パケット信号に対応したＡＣＫ信号を受信するまでの期間を端末装置単位に測定している。しかしながらこれに限らず例えば、制御部３０は、ベースバンド処理部２２等を介して、複数の端末装置のそれぞれから、処理速度に関する情報を受けつけてもよい。処理速度に関する情報とは、例えば、端末装置に備えられたＣＰＵのクロック周波数に相当する。また、処理速度が複数の段階に分類されており、端末装置が該当する段階を示した情報であってもよい。制御部３０は、受けつけた情報をもとに、処理速度を特定してもよい。本変形例によれば、処理速度の特定精度を向上できる。つまり、端末装置の処理速度が把握できればよい。
【００９０】
本発明の実施例において、通信システム１００は、マルチキャリア信号を使用している。しかしながらこれに限らず例えば、シングルキャリア信号を使用してもよい。本変形例によれば、さまざまな通信システムに対して本発明を適用できる。
【図面の簡単な説明】
【００９１】
【図１】本発明の実施例に係るマルチキャリア信号のスペクトルを示す図である。
【図２】本発明の実施例に係る通信システムの構成を示す図である。
【図３】図３（ａ）−（ｂ）は、図２の通信システムにおけるパケットフォーマットを示す図である。
【図４】図２の第１無線装置の構成を示す図である。
【図５】図４における周波数領域の信号の構成を示す図である。
【図６】図４のベースバンド処理部の構成を示す図である。
【図７】図２の通信システムにおけるタイミングの割当の概要を説明するための図である。
【図８】図２の通信システムにおける処理速度の特定手順を示すシーケンス図である。
【図９】図２の通信システムにおけるタイミングの割当の他の変形例の概要を説明するための図である。
【図１０】図２の通信システムにおけるタイミングの割当のさらに他の変形例の概要を説明するための図である。
【符号の説明】
【００９２】
１０  無線装置、  １２  アンテナ、  １４  アンテナ、  ２０  無線部、  ２２  ベースバンド処理部、  ２４  変復調部、  ２６  ＩＦ部、  ３０  制御部、  ５０  受信用処理部、  ５２  送信用処理部、  １００  通信システム。
【図１】
0004738195.tif 000007
【図２】
0004738195.tif 000008
【図３】
0004738195.tif 000009
【図４】
0004738195.tif 000010
【図５】
0004738195.tif 000011
【図６】
0004738195.tif 000012
【図７】
0004738195.tif 000013
【図８】
0004738195.tif 000014
【図９】
0004738195.tif 000015
【図１０】
0004738195.tif 000016